(57)【要約】【課題】  器具の種類に関わらずセンサブロックの取付構造が一様であり、部品点数の削減を図るとともに、器具の組み立てが容易な照明器具を提供する。【解決手段】  点灯制御ブロック２は配線１０を介してセンサブロック５に収納された点灯制御用の人感センサ６に接続し、笠型反射板４ａにはセンサブロックが挿通可能な孔４０が形成されている。そして器具本体１を天井面に取り付け、センサブロック５及び配線１０を笠型反射板４ａの略中央の水平面に設けた孔４０の上方から下方に挿通させた後、笠型反射板４ａを器具本体１に取り付け、固定する。次に、配線１０を孔４０から笠型反射板４ａの上方に入れながら、センサブロック５の上部を孔４０に下方から押し込む。センサブロック５の取着手段が孔４０の周縁に取り付けられて固定された後、ランプＬａをランプソケット３に装着する。【選択図】図１
2005158461.tif 000002
【特許請求の範囲】
【請求項１】
ランプを装着する器具本体と、器具本体に取り付けられたランプの点灯制御ブロックと、ランプの点灯制御用のセンサを具備して点灯制御部に配線を介して接続されたセンサブロックと、器具本体に取り付けられてランプの発光を反射する反射板とを備え、反射板はセンサブロックと配線の一部とが挿通可能な孔を形成され、センサブロックは反射板に形成した前記孔の周縁部に取り付けられる取着手段を具備しており、反射板を器具本体に取り付ける前にセンサブロックと配線の一部とを前記孔に器具本体側から挿通させ、反射板を器具本体に取り付けた後、センサブロックを取着手段によって前記孔の周縁部に取り付けることを特徴とする照明器具。
【請求項２】
前記センサブロックは、センサの検知部の位置を可変とする手段を備えることを特徴とする請求項１記載の照明器具。
【請求項３】
前記センサブロックの取着手段は、センサの検知方向に対して平行方向に一定以上の荷重が加わった場合に孔の周縁部から外れることを特徴とする請求項１または２記載の照明器具。
【請求項４】
前記センサブロックの取着手段は、反射板の斜面及び曲面に形成した孔の周縁部に取り付けられた場合に、センサの検知方向を略鉛直下方に向けることを特徴とする請求項１乃至３いずれか記載の照明器具。
【発明の詳細な説明】
【技術分野】
【０００１】
本発明は、点灯制御用センサを有する照明器具に関するものである。
【背景技術】
【０００２】
従来より、照明器具に人感センサを設けて人の在・不在を検知し、照明器具を自動的に点灯・消灯させることが行われている。図１７は人の在・不在を検知して照明器具を点灯・消灯させる点灯制御ブロック２とセンサブロック５’とを示す。点灯制御ブロック２はセンサブロック５’の検知信号に基づいてランプの点灯・消灯を制御する。点灯制御ブロック２とセンサブロック５’とは配線１０を介して分離されており、センサブロック５’には、図１８に示すように人感センサ６と、人感センサ６を実装すると共に配線１０を介して点灯制御ブロック２に接続されているセンサ基板９とが搭載されて、人感センサ６の検知方向にはセンサレンズ６ａが露出している。このセンサブロック５’は器具専用取付金具（図示なし）によって照明器具本体に取り付けられる。
【０００３】
また図１９は笠付直付一灯の照明器具の断面簡略図で、下部に笠型反射板４ｄを取着した器具本体１は、ランプソケット（図示なし）に直管形のランプＬａを装着し、点灯制御ブロック２を収納して、センサブロック５’は器具本体１内に設置された器具専用取付金具９０によって笠型反射板４ｄの下面に突出して取り付けられる。
【０００４】
上記図１７〜図１９の従来例はセンサブロック５’と点灯制御ブロック２とを分離した分離型センサブロックの例であって、センサブロック５’は器具専用取付金具によって器具本体１に取り付けられる構成となっている。
【０００５】
次に図２０は、センサブロックと点灯制御ブロックとが一体となって、検知方向である一端面側に人感センサ６が露出している一体型センサブロック８０を示す。
【０００６】
図２１は薄型直付下面開放二灯の照明器具の断面簡略図で、下部に薄型下面開放型反射板４ｅを取着した器具本体１は、ランプソケット（図示なし）に２本の直管形のランプＬａを装着し、一体型センサブロック８０を収納しており、一体型センサブロック８０は一端面に露出したセンサレンズ６ａを下方に向けて取り付けられる。
【０００７】
図２２は富士型直付二灯の照明器具の断面簡略図で、下部に富士型反射板４ｃを取着した器具本体１は、ランプソケット（図示なし）に２本の直管形のランプＬａを装着し、一体型センサブロック８０を収納しており、一体型センサブロック８０は器具本体１内に収納された器具専用取付金具９１によってセンサレンズ６ａを下方に向けて取り付けられる。
【０００８】
上記図２０〜図２２に示すような一体型センサブロック８０は、器具本体１に直接取り付けるものと、器具専用取付金具を用いて器具本体１に取り付けるものとがある。（例えば、特許文献１，２参照）
【特許文献１】特開２００１−２９１４１９号公報（段落番号［００４１］〜［００６６］、図１〜図３、図８、図１５〜図１７、図１９，図２０）
【特許文献２】特開２０００−１３３０４０号公報（段落番号［００２５］、［００２６］、図５，図７）
【発明の開示】
【発明が解決しようとする課題】
【０００９】
上記従来の技術では、照明器具の種類によって、センサブロックと点灯制御ブロックとが分離した分離型、またはセンサブロックと点灯制御ブロックとが一体となった一体型の両方が存在するが、検知範囲やランプとの干渉を考慮すると分離形が配置を考慮する際には有利である。しかし、センサブロックを照明器具本体に取り付けるために各照明器具専用の取付金具が必要となり、センサブロックの取付構造が一様でなく多様化してしまい、部品点数の増加にもつながっている。
【００１０】
また、上記分離型センサブロックを用いた照明器具ではセンサブロックと点灯制御ブロックとが配線で接続されているので、反射板を器具本体に取り付ける際にセンサブロックを反射板に固定した状態では取り付けが容易ではなかった。
【００１１】
本発明は、上記事由に鑑みてなされたものであり、その目的は、器具の種類に関わらずセンサブロックの取付構造が一様であり、部品点数の削減を図るとともに、器具の組み立てが容易な照明器具を提供することにある。
【課題を解決するための手段】
【００１２】
請求項１の発明は、ランプを装着する器具本体と、器具本体に取り付けられたランプの点灯制御ブロックと、ランプの点灯制御用のセンサを具備して点灯制御部に配線を介して接続されたセンサブロックと、器具本体に取り付けられてランプの発光を反射する反射板とを備え、反射板はセンサブロックと配線の一部とが挿通可能な孔を形成され、センサブロックは反射板に形成した前記孔の周縁部に取り付けられる取着手段を具備しており、反射板を器具本体に取り付ける前にセンサブロックと配線の一部とを前記孔に器具本体側から挿通させ、反射板を器具本体に取り付けた後、センサブロックを取着手段によって前記孔の周縁部に取り付けることを特徴とする。
【００１３】
この発明によれば、反射板に孔を形成すればセンサブロックを器具本体に取り付けることができて、各照明器具専用の取付金具等の補助部材を必要とせず、器具の種類に関わらずセンサブロックの取付構造が一様となって１種類のセンサブロックで対応可能となり、部品点数の削減を図ることができるという効果がある。さらに反射板に形成した孔はセンサブロックと配線の一部とが挿通可能であるので、反射板の取り付けを容易に行うことができる。
【００１４】
請求項２の発明は、請求項１において、前記センサブロックは、センサの検知部の位置を可変とする手段を備えることを特徴とする。
【００１５】
この発明によれば、器具の形状によらず、反射板やランプ等の遮蔽物がセンサの検知範囲外になるように調節することができる。
【００１６】
請求項３の発明は、請求項１または２において、前記センサブロックの取着手段は、センサの検知方向に対して平行方向に一定以上の荷重が加わった場合に孔の周縁部から外れることを特徴とする。
【００１７】
この発明によれば、センサブロック、配線、反射板の破壊を防止することができる。なお、センサブロックは配線によって点灯制御ブロックに接続しているので、落下することはない。
【００１８】
請求項４の発明は、請求項１乃至３いずれかにおいて、前記センサブロックの取着手段は、反射板の斜面及び曲面に形成した孔の周縁部に取り付けられた場合に、センサの検知方向を略鉛直下方に向けることを特徴とする。
【００１９】
この発明によれば、水平な平面以外の面にも取付可能となる。
【発明の効果】
【００２０】
以上説明したように、本発明では、器具の種類に関わらずセンサブロックの取付構造が一様であり、部品点数の削減を図るとともに、器具の組み立てを容易に行うことできるという効果がある。
【発明を実施するための最良の形態】
【００２１】
以下、本発明の実施の形態を図面に基づいて説明する。
【００２２】
（実施形態１）
本実施形態の照明器具は図１（ａ）〜（ｃ）に示すように、器具本体１を両端方向に長尺の略函型に形成し、器具本体１の下面略中央にはランプＬａの点灯を制御する点灯制御ブロック２が配置され、下面両端にはランプソケット３が両端方向に対向して２組設けられて直管形のランプＬａが２本装着され、器具本体１の下面且つランプＬａの上方には笠型反射板４ａが取着される笠付直付２灯である。そして、点灯制御ブロック２は配線１０を介してセンサブロック５に収納された点灯制御用の人感センサ６に接続しており、人感センサ６は器具本体１下方の所定範囲内の人の在・不在を検知し、点灯制御ブロック２は人感センサ６の検知信号に基づいてランプＬａの点灯・消灯を制御している。
【００２３】
図１（ａ）〜（ｃ）を用いて本実施形態の照明器具へのセンサブロック５の取り付けについて説明する。まず器具本体１を天井面に取り付ける（図１（ａ）参照）。笠型反射板４ａの略中央の水平面にはセンサブロック５が挿通可能な矩形の孔４０が設けられており、センサブロック５と配線１０の一部とを孔４０の上方から下方に挿通させた後、笠型反射板４ａを器具本体１に取り付け、固定する。次に、配線１０を孔４０から笠型反射板４ａの上方に入れながら、センサブロック５の上部を孔４０に下方から押し込む（図１（ｂ）参照）。そしてセンサブロック５を孔４０に取り付けた後、ランプＬａをランプソケット３に装着する（図１（ｃ）参照）。このときセンサブロック５はランプＬａと干渉しないように、２本のランプＬａの間に位置している。
【００２４】
次にセンサブロック５の取付方法について説明する。センサブロック５は図２，図３に示すように上面を開口した略函型のハウジング５０を備え、ハウジング５０内にはセンサ基板９上に実装された人感センサ６が収納され、ハウジング５０の下面からは人感センサ６の検知部であるセンサレンズ６ａが露出している。ハウジング５０の両側面には、上方に向かって両側方向へ張り出すように傾斜した斜面部５１ａを具備するとともに弾性を有する突部５１が形成され、斜面部５１ａの上部には両端方向に形成した凹部５１ｂを備える。センサブロック５を孔４０に上方から下方へ挿通させる場合、ハウジング５０の下部を孔４０に上方から押し込めば、突部５１の斜面部５１ａが孔４０の周縁部４０ａに対して摺動しながら内側へ撓むので、図４（ａ）に示すようにセンサブロック５は容易に下方へ向かって移動し、図４（ｂ）に示すように凹部５１ｂが孔４０の周縁部４０ａに嵌合する。そして、孔４０に嵌合した状態で突部５１の下部を両側から指で押さえて突部５１を内側へ撓ませた状態で凹部５１ｂと周縁部４０ａとの嵌合状態を解除してから下方へ引き抜くことで、センサブロック５を孔４０に挿通させることができる。次に、センサブロック５を孔４０に下方から上方に押し込んで取り付ける場合も同様に突部５１の下部を両側から指で押さえて突部５１を内側へ撓ませた状態で行い、凹部５１ｂが孔４０の周縁部４０ａに嵌合することで、ハウジング５０が孔４０に取り付けられる。
【００２５】
（実施形態２）
本実施形態の照明器具は図５（ａ）〜（ｃ）に示すように、器具本体１を両端方向に長尺の略函型に形成し、器具本体１の下面略中央にはランプＬａの点灯を制御する点灯制御ブロック２が配置され、下面両端略中央にはランプソケット３が両端方向に対向して１組設けられて直管形のランプＬａが１本装着され、器具本体１の下面且つランプＬａの上方には富士型反射板４ｂが取着される富士型１灯である。そして実施形態１同様に、点灯制御ブロック２は配線１０を介してセンサブロック５に収納された点灯制御用の人感センサ６に接続しており、人感センサ６は器具本体１下方の所定範囲内の人の在・不在を検知し、点灯制御ブロック２は人感センサ６の検知信号に基づいてランプＬａの点灯・消灯を制御している。
【００２６】
図５（ａ）〜（ｃ）を用いて本実施形態の照明器具へのセンサブロック５の取り付けについて説明する。まず器具本体１を天井面に取り付ける（図５（ａ）参照）。富士型反射板４ｂは、上方から下方に向かって内側へ傾斜した斜面部４１を両側に形成しており、一方の斜面部４１には下方に突出した突部４２が形成され、突部４２の下面には開口面を水平面に略一致させた孔４０が設けられており、孔４０はセンサブロック５が挿通可能な矩形に形成される。そして、センサブロック５と配線１０の一部とを孔４０の上方から下方に挿通させ、次に、富士型反射板４ｂを器具本体１に取り付け、固定した後、配線１０を孔４０から富士型反射板４ｂの上方に入れながら、センサブロック５の上部を孔４０に下方から押し込む（図５（ｂ）参照）。そしてセンサブロック５を孔４０に取り付けた後、ランプＬａをランプソケット３に装着する（図５（ｃ）参照）。このときセンサブロック５はランプＬａと干渉しないように、ランプＬａの側方に位置している。
【００２７】
本実施形態のセンサブロック５は図６，図７に示されるように、上面、下面を開口した略函型のハウジング５０ａ及びハウジング５０ａ内に収納された略函型のハウジング５０ｂとを備え、ハウジング５０ｂ内には実施形態１同様にセンサ基板９上に実装された人感センサ６が収納され、ハウジング５０ｂの下面からは人感センサ６の検知部であるセンサレンズ６ａが露出している。さらにハウジング５０ｂはハウジング５０ａ内を上下方向に摺動自在であって、ハウジング５０ａの内側面の上部及び下部に各々設けた凹部５２に、ハウジング５０ｂの側面上部に設けた凸部５３が嵌合することで、ハウジング５０ｂの下方への突出量を調整できる。すなわち凸部５３が上部の凹部５２に嵌合した場合は、ハウジング５０ｂはハウジング５０ａ内に収納された状態であり、凸部５３が下部の凹部５２に嵌合した場合は、ハウジング５０ｂはハウジング５０ａの下方に突出した状態となり、照明器具の構成、形状が変わっても反射板４ｂやランプＬａ等が人感センサ６の検知範囲外になるように調節することができる。本実施形態ではハウジング５０ｂの突出量の調整を２段階としているが、凹部５２をさらに増やせば細かな調整が可能となる。また図５（ａ）〜（ｃ）のセンサブロック５は、ハウジング５０ｂがハウジング５０ａの下方に突出した状態を示している。
【００２８】
なおセンサブロック５は、ハウジング５０ａの両側面に実施形態１と同様の突部５１を設けており、センサブロック５の孔４０への挿通及び取付方法については実施形態１と同様であり説明は省略する。
【００２９】
（実施形態３）
本実施形態の照明器具は図８（ａ）〜（ｃ）に示すように、器具本体１を両端方向に長尺の略函型に形成し、器具本体１の下面略中央にはランプＬａの点灯を制御する点灯制御ブロック２が配置され、下面両端にはランプソケット３が両端方向に対向して２組設けられて直管形のランプＬａが２本装着され、器具本体１の下面且つランプＬａの上方には富士型反射板４ｃが取着される富士型２灯である。そして実施形態１同様に、点灯制御ブロック２は配線１０を介してセンサブロック５に収納された点灯制御用の人感センサ６に接続しており、人感センサ６は器具本体１下方の所定範囲内の人の在・不在を検知し、点灯制御ブロック２は人感センサ６の検知信号に基づいてランプＬａの点灯・消灯を制御している。
【００３０】
なお、本実施形態のセンサブロック５の構成や、孔４０への挿通及び取付方法は実施形態２と同様であるので、説明は省略する。また図８（ａ）〜（ｃ）のセンサブロック５は、図６，図７に示すハウジング５０ｂがハウジング５０ａ内に収納された状態を示している。
【００３１】
（実施形態４）
本実施形態の照明器具は実施形態１と同様の構成を備えるが、図９，図１０に示すセンサブロック５を用いることが実施形態１とは異なる。本実施形態のセンサブロック５は、上面を開口した略函型のハウジング５０を備え、ハウジング５０内には実施形態１同様にセンサ基板９上に実装された人感センサ６が収納され、ハウジング５０の下面からは人感センサ６の検知部であるセンサレンズ６ａが露出している。ハウジング５０は、弾性を有する突部５４を両側面に形成しており、突部５４はその上端及び下端から中央方向に向かって両側方向に張り出すように傾斜した斜面部５４ａを有し、中央付近では内側に傾斜した斜面部５５ａを各斜面部５４ａに連続して設けており、突部５４の中央に斜面部５５ａからなる凹部５５を両端方向へ形成している。
【００３２】
そして、図１０に示すように凹部５５が反射板４ａに形成した孔４０の周縁部４０ａに嵌合して、ハウジング５０が孔４０に固定されているときに、上方向Ｙ１または下方向Ｙ２に一定以上の過大な荷重を加えると、突部５４は弾性を有しているので、突部５４が内側へ撓み、斜面部５５ａが周縁部４０ａに対して摺動し、凹部５５と周縁部４０ａとの嵌合状態が解除されてハウジング５０が荷重方向に外れる。したがって、センサブロック５は配線１０を介して点灯制御ブロック２に接続しているために、反射板４ａが落下した場合あるいは反射板４ａにセンサブロック５を固定した状態で反射板４ｃを外した場合には、センサブロック５の配線接続部破損や配線断裂の恐れがあるが、本実施形態ではそのような場合にセンサブロック５が反射板４ｃから外れてセンサブロック５の破損を防止できる。
【００３３】
また、本実施形態の突部５４を実施形態２，３のセンサブロック５に適用しても上記同様の効果を奏する。
【００３４】
（実施形態５）
本実施形態の照明器具は図１１（ａ）〜（ｃ）に示すように、器具本体１を両端方向に長尺の略函型に形成し、器具本体１の下面略中央にはランプＬａの点灯を制御する点灯制御ブロック２が配置され、下面両端略中央にはランプソケット３が両端方向に対向して１組設けられて直管形のランプＬａが１本装着され、器具本体１の下面且つランプＬａの上方には笠型反射板４ｄが取着される笠付直付１灯である。そして実施形態１同様に、点灯制御ブロック２は配線１０を介してセンサブロック５に収納された点灯制御用の人感センサ６に接続しており、人感センサ６は器具本体１下方の所定範囲内の人の在・不在を検知し、点灯制御ブロック２は人感センサ６の検知信号に基づいてランプＬａの点灯・消灯を制御している。
【００３５】
図１１（ａ）〜（ｃ）を用いて本実施形態の照明器具へのセンサブロック５の取り付けについて説明する。まず器具本体１を天井面に取り付ける（図１１（ａ）参照）。ここで笠型反射板４ｄは、上方から下方に向かって外側へ傾斜した斜面部４４を両側に形成しており、センサブロック５が挿通可能な矩形の孔４０が一方の斜面部４４に設けられる。そして、センサブロック５と配線１０の一部とを孔４０の上方から下方に挿通させる。次に、笠型反射板４ｄを器具本体１に取り付け、固定した後、配線１０を孔４０から笠型反射板４ｄの上方に入れながら、センサブロック５の上部を孔４０に下方から押し込む（図１１（ｂ）参照）。そしてセンサブロック５を孔４０に取り付けた後、ランプＬａをランプソケット３に装着する（図１１（ｃ）参照）。このときセンサブロック５はランプＬａと干渉しないように、ランプＬａの側方に位置している。
【００３６】
次にセンサブロック５の取付方法について説明する。本実施形態のセンサブロック５は図１２に示すように、実施形態２と同様にハウジング５０ａ，５０ｂを備えて、ハウジング５０ｂがハウジング５０ａの下方へ突出する量を調整できるものであるが、上下方向に連続した三角状の凹凸部５６ａを形成するとともに弾性を有する突部５６をハウジング５０ａの両側面に設けた点と、ハウジング５０ａの一端面に上下方向に延設した２つの突片５７を並設している点と、笠型反射板４ｄに設けた孔４０の一端に矩形の切り欠き部４０ｂを２つ設けた点（図１４参照）とが異なる。
【００３７】
図１３（ａ）に示すようにセンサブロック５を孔４０に上方から下方へ挿通させる場合、ハウジング５０ａの下部を孔４０に上方から押し込めば、突片５７，５７が孔４０に設けた切り欠き部４０ｂ，４０ｂに嵌合するとともに、三角状の凹凸部５６ａが周縁部４０ａに対して摺動し突部５６が内側へ撓むので、センサブロック５は下方へ向かって移動し、図１５に示すように凹凸部５６ａのいずれかの凹部が孔４０の周縁部４０ａに嵌合する。そして、図１３（ｂ）に示すように孔４０に嵌合した状態で同様に下方へ引き抜くことで、センサブロック５を孔４０に挿通させることができる。次に、センサブロック５を孔４０に下方から上方に押し込んで取り付ける場合も同様に三角状の凹凸部５６ａが周縁部４０ａに対して摺動し突部５６が内側へ撓むので、センサブロック５は上方へ向かって移動し、凹凸部５６ａのいずれかの凹部が孔４０の周縁部４０ａに嵌合することで、ハウジング５０ａが孔４０に取り付けられる。
【００３８】
本実施形態では上下方向に連続した三角状の凹凸部５６ａによって、斜面部４４（あるいは曲面部）に設けた孔４０に取り付けても人感センサ６の検知方向を鉛直下方に設定することができるだけでなく、図１６に示すように水平面に設けた孔４０にも同様に取り付けることができる。
【図面の簡単な説明】
【００３９】
【図１】（ａ）〜（ｃ）実施形態１の照明装置の構成、及びセンサブロック取付手順を示す斜視図である。
【図２】同上のセンサブロックの構成を示す斜視図である。
【図３】同上のセンサブロックの構成を示す断面図である。
【図４】同上のセンサブロックの脱着を示す図であり、（ａ）は取付前の状態、（ｂ）は外す特の状態を示す。
【図５】（ａ）〜（ｃ）実施形態２の照明装置の構成、及びセンサブロック取付手順を示す斜視図である。
【図６】同上のセンサブロックの構成を示す斜視図である。
【図７】同上のセンサブロックの構成を示す一部断面図である。
【図８】（ａ）〜（ｃ）実施形態３の照明装置の構成、及びセンサブロック取付手順を示す斜視図である。
【図９】実施形態４のセンサブロックの構成を示す斜視図である。
【図１０】同上のセンサブロックの取付状態を示す平面図である。
【図１１】（ａ）〜（ｃ）実施形態５の照明装置の構成、及びセンサブロック取付手順を示す斜視図である。
【図１２】同上のセンサブロックの構成を示す斜視図である。
【図１３】同上のセンサブロックの取り付けを示す図であり、（ａ）は取付前の状態、（ｂ）は取付時の状態を示す。
【図１４】同上の反射板に形成した孔を示す平面図である。
【図１５】同上のハウジングと反射板の斜面との嵌合状態を示す断面図である。
【図１６】同上のハウジングと反射板の平面との嵌合状態を示す断面図である。
【図１７】従来の分離型センサブロックと点灯制御ブロックの概略を示す図である。
【図１８】同上のセンサブロックを示す破断図である。
【図１９】同上の笠付直付一灯の照明器具を示す断面簡略図である。
【図２０】同上の一体型センサブロック概略を示す図である。
【図２１】同上の薄型直付下面開放二灯の照明器具を示す断面簡略図である。
【図２２】同上の富士型直付二灯の照明器具を示す断面簡略図である。
【符号の説明】
【００４０】
１  器具本体
２  点灯制御ブロック
３  ランプソケット
４ａ  笠型反射板
５  センサブロック
６  人感センサ
６ａ  センサレンズ
１０  配線
４０  孔
Ｌａ  ランプ
【図１】
2005158461.tif 000003
【図２】
2005158461.tif 000004
【図３】
2005158461.tif 000005
【図４】
2005158461.tif 000006
【図５】
2005158461.tif 000007
【図６】
2005158461.tif 000008
【図７】
2005158461.tif 000009
【図８】
2005158461.tif 000010
【図９】
2005158461.tif 000011
【図１０】
2005158461.tif 000012
【図１１】
2005158461.tif 000013
【図１２】
2005158461.tif 000014
【図１３】
2005158461.tif 000015
【図１４】
2005158461.tif 000016
【図１５】
2005158461.tif 000017
【図１６】
2005158461.tif 000018
【図１７】
2005158461.tif 000019
【図１８】
2005158461.tif 000020
【図１９】
2005158461.tif 000021
【図２０】
2005158461.tif 000022
【図２１】
2005158461.tif 000023
【図２２】
2005158461.tif 000024